(57)【要約】【課題】情報の処理を効率的に行う情報処理システムを提供する。【解決手段】情報を処理して使用者に提供する情報処理システムであって、情報を格納する格納部と、格納部に未処理の新たな情報が存在するか否かを判断する判断部と、判断部により存在すると判断された新たな情報の量が予め定められた基準である活性度基準より多い時間帯である活性時間帯を取得する活性時間帯取得部と、活性時間帯において、処理を活性時間帯以外の時間帯より多く行うように処理の設定を変更する処理設定変更部とを備えることを特徴とする情報処理システムを提供する。【選択図】　図２
2004030467.tif 000002
【特許請求の範囲】
【請求項１】
情報を処理して使用者に提供する情報処理システムであって、
前記情報を格納する格納部と、
前記格納部に未処理の新たな情報が存在するか否かを判断する判断部と、
前記判断部により存在すると判断された前記新たな情報の量が予め定められた基準である活性度基準より多い時間帯である活性時間帯を取得する活性時間帯取得部と、
前記活性時間帯において、前記処理を前記活性時間帯以外の時間帯より多く行うように前記処理の設定を変更する処理設定変更部と
を備えることを特徴とする情報処理システム。
【請求項２】
前記活性時間帯取得部は、さらに、前記活性時間帯において、複数の互いに異なる前記活性度基準を用いて、前記新たな情報の量が前記活性度基準の何れを超えたかを示す活性度を取得し、
前記活性度のそれぞれに対応して予め定められた画像を格納する画像格納部と、
前記活性時間帯取得部が取得した前記活性度に対応する前記画像を表示させる表示部とを更に備えることを特徴とする請求項１記載の情報処理システム。
【請求項３】
前記処理として前記情報の中から前記使用者の要求に基づいた情報の検索を行う処理部を更に備え、
前記判断部は、前記新たな情報として、前記処理部が前記検索を行っていない情報が存在するか否かを判断し、
前記活性時間帯取得部は、前記判断部により前記検索を行っていないと判断された情報の量が予め定められた基準より多い時間帯である活性時間帯を取得し、
前記処理設定変更部は、前記処理の設定として、前記処理部が行う検索の設定を変更することを特徴とする請求項１記載の情報処理システム。
【請求項４】
前記処理設定変更部は、前記活性時間帯において、前記活性時間帯以外の時間帯とは一度の前記処理で扱う情報の量が異なるように前記処理の設定を変更することを特徴とする請求項１記載の情報処理システム。
【請求項５】
前記処理設定変更部は、前記活性時間帯において、単位時間あたりの前記処理を行う回数を高めるように前記処理の設定を変更することを特徴とする請求項１記載の情報処理システム。
【請求項６】
前記活性時間帯取得部は、更に前記活性時間帯を複数取得し、
前記処理設定変更部は、前記複数の活性時間帯のそれぞれにおいて、前記処理をより多く行うように前記処理の設定を変更することを特徴とする請求項１記載の情報処理システム。
【請求項７】
前記複数の活性時間帯のそれぞれにおいて、互いに異なる処理を行う処理部を更に備えることを特徴とする請求項６記載の情報処理システム。
【請求項８】
前記格納部は、さらに前記情報を当該情報の属性情報に対応付けて格納し、
前記処理部は、前記複数の活性時間帯のそれぞれにおいて、前記属性情報が互いに異なる前記情報を処理することを特徴とする請求項７記載の情報処理システム。
【請求項９】
前記活性時間帯取得部は、更に、前記判断部が前記新たな情報が存在すると判断した頻度の時間に対する分布である分布情報を前記属性情報ごとに取得し、
前記処理設定変更部は、前記活性時間帯取得部が取得した前記分布情報に基づき、前記新たな情報が存在すると判断された頻度のより高い時間帯において前記処理をより多く行うように設定を変更し、
前記処理部は、前記活性時間帯取得部が取得した前記分布情報に基づき、前記複数の活性時間帯のそれぞれにおいて、前記判断部がより高い頻度で存在すると判断した前記新たな情報と同じ前記属性情報に対応付けられた前記情報を処理することを特徴とする請求項８記載の情報処理システム。
【請求項１０】
前記活性時間帯取得部は、前記判断部が前記新たな情報が存在すると判断した頻度の時間に対する分布情報を取得し、
前記処理設定変更部は、前記活性時間帯取得部が取得した前記分布情報に基づき、前記新たな情報が存在すると判断した頻度の高い時間帯において前記処理をより多く行うように設定を変更することを特徴とする請求項１記載の情報処理システム。
【請求項１１】
前記活性時間帯取得部は、前記分布情報として、前記判断部が前記新たな情報が存在すると判断した頻度を一日を周期として累積した累積情報を取得し、
前記処理設定変更部は、前記累積情報に基づき、一日における前記処理の設定を変更することを特徴とする請求項１０記載の情報処理システム。
【請求項１２】
情報を処理して使用者に提供する情報処理システムであって、
前記使用者からの要求に基づいて、処理を行った情報を前記使用者に提供する提供部と、
前記使用者から前記提供部に要求が行われた回数が予め定められた基準を超える時間帯である接触時間帯を取得する接触時間帯取得部と、
前記接触時間帯において、前記処理を前記接触時間帯以外の時間帯より多い回数行うように前記処理の設定を変更する処理設定変更部と
を備えることを特徴とする情報処理システム。
【請求項１３】
情報を処理して使用者に提供する情報処理システムであって、
前記使用者からの要求に基づいて、処理を行った情報を前記使用者に提供する提供部と、
前記提供部に前記使用者から要求が行われた回数が予め定められた基準を超える時間帯である接触時間帯を取得する接触時間帯取得部と、
前記接触時間帯において、前記提供部が前記処理を行った情報を前記接触時間帯以外の時間帯より多い回数提供するように変更する提供設定変更部と
を備えることを特徴とする情報処理システム。
【請求項１４】
情報を処理して使用者に提供する情報処理方法であって、前記情報を取得するステップと、
取得した前記情報に未処理の新たな情報が存在するか否かを判断するステップと、
存在すると判断された前記新たな情報の量が予め定められた基準である活性度基準より多い時間帯である活性時間帯を取得するステップと、
前記活性時間帯において、前記処理を前記活性時間帯以外の時間帯より多く行うように前記処理の設定を変更するステップと
を備えることを特徴とする情報処理方法。
【請求項１５】
情報を処理して使用者に提供する情報処理方法であって、前記使用者からの要求に基づいて、処理を行った情報を前記使用者に提供するステップと、
前記使用者から要求が行われた回数が予め定められた基準を超える時間帯である接触時間帯を取得するステップと、
前記接触時間帯において、前記処理を前記接触時間帯以外の時間帯より多い回数行うように前記処理の設定を変更するステップと
を備えることを特徴とする情報処理方法。
【請求項１６】
情報を処理して使用者に提供する情報処理方法であって、前記使用者からの要求に基づいて、処理を行った情報を前記使用者に提供するステップと、
前記使用者から要求が行われた回数が予め定められた基準を超える時間帯である接触時間帯を取得するステップと、
前記接触時間帯において、前記処理を行った情報を前記接触時間帯以外の時間帯より多い回数提供するように変更するステップと
を備えることを特徴とする情報処理方法。
【請求項１７】
コンピュータによって、情報を処理して使用者に提供させるプログラムであって、
前記情報を前記コンピュータによって取得させるモジュールと、
取得した前記情報に未処理の新たな情報が存在するか否かを前記コンピュータによって判断させるモジュールと、
存在すると判断された前記新たな情報の量が予め定められた基準である活性度基準より多い時間帯である活性時間帯を前記コンピュータによって取得させるモジュールと、
前記活性時間帯において、前記処理を前記活性時間帯以外の時間帯より多く行うように前記処理の設定を前記コンピュータによって変更させるモジュールと
を備えることを特徴とするプログラム。
【請求項１８】
コンピュータによって、情報を処理して使用者に提供させるプログラムであって、
前記使用者からの要求に基づいて、処理を行った情報を前記使用者に前記コンピュータによって提供させるモジュールと、
前記使用者から要求が行われた回数が予め定められた基準を超える時間帯である接触時間帯を前記コンピュータによって取得させるモジュールと、
前記接触時間帯において、前記処理を前記接触時間帯以外の時間帯より多い回数行うように前記処理の設定を前記コンピュータによって変更させるモジュールと
を備えることを特徴とするプログラム。
【請求項１９】
コンピュータによって、情報を処理して使用者に提供させるプログラムであって、
前記使用者からの要求に基づいて、処理を行った情報を前記使用者に前記コンピュータによって提供させるモジュールと、
前記使用者から要求が行われた回数が予め定められた基準を超える時間帯である接触時間帯を前記コンピュータによって取得させるモジュールと、
前記接触時間帯において、前記処理を行った情報を前記接触時間帯以外の時間帯より多い回数提供するように前記コンピュータに変更させるモジュールと
を備えることを特徴とするプログラム。
【発明の詳細な説明】
【０００１】
【発明の属する技術分野】
本発明は、情報処理システム、情報処理方法、及びプログラムに関する。特に本発明は、時間帯によって動作を変える情報処理システム、情報処理方法、及びプログラムに関する。
【０００２】
【従来の技術】
予め情報を検索しておき、使用者の求めに応じ、検索された情報を提供する情報処理システムが提案されている。
【０００３】
【発明が解決しようとする課題】
しかし、上記システムは、定期的に、あるいは検索システムの管理者の指示に従い、予め情報を検索していた。すなわち、検索対象の情報の変化に応じて検索を行うことはできなかった。
そこで本発明は、上記の課題を解決することのできる情報処理システム、情報処理方法、及びプログラムを提供することを目的とする。この目的は特許請求の範囲における独立項に記載の特徴の組み合わせにより達成される。また従属項は本発明の更なる有利な具体例を規定する。
【０００４】
【課題を解決するための手段】
即ち、本発明の第１の形態によると、情報を処理して使用者に提供する情報処理システムであって、情報を格納する格納部と、格納部に未処理の新たな情報が存在するか否かを判断する判断部と、判断部により存在すると判断された新たな情報の量が予め定められた基準である活性度基準より多い時間帯である活性時間帯を取得する活性時間帯取得部と、活性時間帯において、処理を活性時間帯以外の時間帯より多く行うように処理の設定を変更する処理設定変更部とを備えることを特徴とする情報処理システムを提供する。
また、活性時間帯取得部は、さらに、活性時間帯において、複数の互いに異なる活性度基準を用いて、新たな情報の量が活性度基準の何れを超えたかを示す活性度を取得し、活性度のそれぞれに対応して予め定められた画像を格納する画像格納部と、活性時間帯取得部が取得した活性度に対応する画像を表示させる表示部とを更に備えてもよい。
また、処理として情報の中から使用者の要求に基づいた情報の検索を行う処理部を更に備え、判断部は、新たな情報として、処理部が検索を行っていない情報が存在するか否かを判断し、活性時間帯取得部は、判断部により検索を行っていないと判断された情報の量が予め定められた基準より多い時間帯である活性時間帯を取得し、処理設定変更部は、処理の設定として、処理部が行う検索の設定を変更してもよい。
【０００５】
また、処理設定変更部は、活性時間帯において、活性時間帯以外の時間帯とは一度の処理で扱う情報の量が異なるように処理の設定を変更してもよい。
また、処理設定変更部は、活性時間帯において、単位時間あたりの処理を行う回数を高めるように処理の設定を変更してもよい。
【０００６】
また、活性時間帯取得部は、更に活性時間帯を複数取得し、処理設定変更部は、複数の活性時間帯のそれぞれにおいて、処理をより多く行うように処理の設定を変更してもよい。
また、複数の活性時間帯のそれぞれにおいて、互いに異なる処理を行う処理部を更に備えてもよい。
また、格納部は、さらに情報を当該情報の属性情報に対応付けて格納し、処理部は、複数の活性時間帯のそれぞれにおいて、属性情報が互いに異なる情報を処理してもよい。
【０００７】
また、活性時間帯取得部は、更に、判断部が新たな情報が存在すると判断した頻度の時間に対する分布である分布情報を属性情報ごとに取得し、処理設定変更部は、活性時間帯取得部が取得した分布情報に基づき、新たな情報が存在すると判断された頻度のより高い時間帯において処理をより多く行うように設定を変更し、処理部は、活性時間帯取得部が取得した分布情報に基づき、複数の活性時間帯のそれぞれにおいて、判断部がより高い頻度で存在すると判断した新たな情報と同じ属性情報に対応付けられた情報を処理してもよい。
また、活性時間帯取得部は、判断部が新たな情報が存在すると判断した頻度の時間に対する分布情報を取得し、処理設定変更部は、活性時間帯取得部が取得した分布情報に基づき、新たな情報が存在すると判断した頻度の高い時間帯において処理をより多く行うように設定を変更してもよい。
【０００８】
また、活性時間帯取得部は、分布情報として、判断部が新たな情報が存在すると判断した頻度を一日を周期として累積した累積情報を取得し、処理設定変更部は、累積情報に基づき、一日における処理の設定を変更してもよい。
本発明の第２の形態によると、情報を処理して使用者に提供する情報処理システムであって、使用者からの要求に基づいて、処理を行った情報を使用者に提供する提供部と、使用者から提供部に要求が行われた回数が予め定められた基準を超える時間帯である接触時間帯を取得する接触時間帯取得部と、接触時間帯において、処理を接触時間帯以外の時間帯より多い回数行うように処理の設定を変更する処理設定変更部とを備えることを特徴とする情報処理システムを提供する。
【０００９】
本発明の第３の形態によると、情報を処理して使用者に提供する情報処理システムであって、使用者からの要求に基づいて、処理を行った情報を使用者に提供する提供部と、提供部に使用者から要求が行われた回数が予め定められた基準を超える時間帯である接触時間帯を取得する接触時間帯取得部と、接触時間帯において、提供部が処理を行った情報を接触時間帯以外の時間帯より多い回数提供するように変更する提供設定変更部とを備えることを特徴とする情報処理システムを提供する。
本発明の第４の形態によると、情報を処理して使用者に提供する情報処理方法であって、情報を取得するステップと、取得した情報に未処理の新たな情報が存在するか否かを判断するステップと、存在すると判断された新たな情報の量が予め定められた基準である活性度基準より多い時間帯である活性時間帯を取得するステップと、活性時間帯において、処理を活性時間帯以外の時間帯より多く行うように処理の設定を変更するステップとを備えることを特徴とする情報処理方法を提供する。
【００１０】
本発明の第５の形態によると、情報を処理して使用者に提供する情報処理方法であって、使用者からの要求に基づいて、処理を行った情報を使用者に提供するステップと、使用者から要求が行われた回数が予め定められた基準を超える時間帯である接触時間帯を取得するステップと、接触時間帯において、処理を接触時間帯以外の時間帯より多い回数行うように処理の設定を変更するステップとを備えることを特徴とする情報処理方法を提供する。
本発明の第６の形態によると、情報を処理して使用者に提供する情報処理方法であって、使用者からの要求に基づいて、処理を行った情報を使用者に提供するステップと、使用者から要求が行われた回数が予め定められた基準を超える時間帯である接触時間帯を取得するステップと、接触時間帯において、処理を行った情報を接触時間帯以外の時間帯より多い回数提供するように変更するステップとを備えることを特徴とする情報処理方法を提供する。
【００１１】
本発明の第７の形態によると、コンピュータによって、情報を処理して使用者に提供させるプログラムであって、情報をコンピュータによって取得させるモジュールと、取得した情報に未処理の新たな情報が存在するか否かをコンピュータによって判断させるモジュールと、存在すると判断された新たな情報の量が予め定められた基準である活性度基準より多い時間帯である活性時間帯をコンピュータによって取得させるモジュールと、活性時間帯において、処理を活性時間帯以外の時間帯より多く行うように処理の設定をコンピュータによって変更させるモジュールとを備えることを特徴とするプログラムを提供する。
本発明の第８の形態によると、コンピュータによって、情報を処理して使用者に提供させるプログラムであって、使用者からの要求に基づいて、処理を行った情報を使用者にコンピュータによって提供させるモジュールと、使用者から要求が行われた回数が予め定められた基準を超える時間帯である接触時間帯をコンピュータによって取得させるモジュールと、接触時間帯において、処理を接触時間帯以外の時間帯より多い回数行うように処理の設定をコンピュータによって変更させるモジュールとを備えることを特徴とするプログラムを提供する。
【００１２】
本発明の第９の形態によると、コンピュータによって、情報を処理して使用者に提供させるプログラムであって、使用者からの要求に基づいて、処理を行った情報を使用者にコンピュータによって提供させるモジュールと、使用者から要求が行われた回数が予め定められた基準を超える時間帯である接触時間帯をコンピュータによって取得させるモジュールと、接触時間帯において、処理を行った情報を接触時間帯以外の時間帯より多い回数提供するようにコンピュータに変更させるモジュールとを備えることを特徴とするプログラムを提供する。
なお上記の発明の概要は、本発明の必要な特徴の全てを列挙したものではなく、これらの特徴群のサブコンビネーションも又発明となりうる。
【００１３】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１４】
図１は、情報処理ネットワーク５の概観図である。情報処理ネットワーク５は、情報処理システム１０と、端末２０とを備える。情報処理システム１０は、端末２０と、インターネット、電話回線、又はＬＡＮなどを介して接続される。また、情報処理システム１０及び端末２０は、ひとつの計算機の中に一体に設けられてもよい。
【００１５】
図２は、情報処理システム１０の機能ブロック図である。情報処理システム１０は、格納部１００と、処理部１１０と、提供部１２０と、判断部１３０と、活性時間帯取得部１４０と、処理設定変更部１５０と、画像格納部１６０と、表示部１７０とを備える。情報処理システム１０は、格納部１００に未処理の新たな情報がより存在すると判断した時間帯である活性時間帯を取得する。情報処理システム１０は、その活性時間帯において、他の時間帯より多く処理を行う。例えば、情報処理システム１０は、情報の処理として、検索を行う。この場合、情報処理システム１０は、検索対象になったことがないと判断された情報が新たに存在するようになる活性時間帯において、他の時間帯より多く処理を行う。このように、情報処理システム１０は、未処理の新たな情報をより多く処理（検索）できる時間帯を学習することにより、使用者に目的の情報を効率的に提供することができる。
【００１６】
格納部１００は、情報をその属性情報に対応付けて格納する。格納部１００は、情報として、例えば、画像及びテキストデータが関連づけられたデータを格納する。格納部１００は、属性情報として、例えば、この画像に表現される物体の名称や総称を格納する。格納部１００は、処理部１１０及び判断部１３０から参照可能なように情報及び属性情報を整理して格納する。例えば、格納部１００は、この情報および属性情報を表として配列して管理してもよいし、インデックスにより管理してもよい。例えば、情報処理システム１０が情報の処理として検索を行う場合、格納部１００は、検索の対象となる情報を格納する。
【００１７】
処理部１１０は、格納部１００から情報及び属性情報を受け取り、これらの情報を処理し、提供部１２０に送る。また、処理部１１０は、処理設定変更部１５０から、設定変更の指示を受け取ると、処理の設定を変更する。処理部１１０は、例えば、設定変更の指示に従い、処理の頻度、一度の処理で扱う情報の量、又は処理で扱う情報の属性を変更する。処理部１１０は、情報の処理として、例えば、情報の検索を行う。処理部１１０は、格納部１００が格納する情報の中から使用者の要求に即した情報を検索し、提供部１２０にその検索された情報を送る。処理部１１０は、情報の処理として、情報の加工、変更を行ってもよい。例えば、処理部１１０は、格納部１００が格納する情報に、使用者の要求に基づいて、属性情報を追加してもよい。また、処理部１１０は、情報の処理として、情報処理ネットワーク５に新たにアクセスした使用者に対して、格納部１００が格納する情報の一覧を画像で表示する処理を行ってもよい。
【００１８】
提供部１２０は、処理部１１０から、処理（検索）された情報を受け取る。そして、提供部１２０は、使用者から端末２０を介して要求を受け取った場合、その処理が行われた情報、例えば検索された情報を端末２０に送る。
【００１９】
判断部１３０は、格納部１００に未処理の新たな情報が存在する場合、その新たな情報の量が複数の互いに異なる活性度基準を超えるか否かを判断する。判断部１３０は、新たな情報の量が何れの活性度基準を超えたかにより、活性度を算出する。そして、判断部１３０は、新たな情報が存在すると判断した時間帯及びその時間帯ごとの活性度を、情報に対応付けられた属性情報ごと算出し分類して活性時間帯取得部１４０に送る。
ここで、判断部１３０は、未処理の新たな情報として、検索の対象となったことのない情報である未検索情報が判断部１３０に存在するか否かを判断してもよい。この場合、判断部１３０は、この未検索の情報が存在した時間帯の情報と、その未検索の情報の量を用いて算出した活性度の情報とを、活性時間帯取得部１４０に送る。
【００２０】
活性時間帯取得部１４０は、判断部１３０から、新たな情報、例えば未検索情報が存在すると判断した時間帯の情報及び活性度の情報を受け取る。そして、活性時間帯取得部１４０は、この活性度の情報に基づいて、新たな情報が存在すると判断された単位時間当たりの頻度情報と、新たな情報が存在すると判断された回数の時間に対する分布である分布情報とを属性情報ごとに算出する。活性時間帯取得部１４０は、頻度情報及び分布情報を一日を周期として累積情報として累積し、処理設定変更部１５０に送る。さらに、活性時間帯取得部１４０は、この分布情報を用いて、新たな情報の量が活性度基準より多い時間帯である活性時間帯を特定し、処理設定変更部１５０及び表示部１７０に送る。また、活性時間帯取得部１４０は、頻度情報及び分布情報を蓄積する場合に、任意の期間を周期としてもよい。例えば、一週間、一ヶ月、及び一年を周期としてもよい。
【００２１】
処理設定変更部１５０は、活性時間帯取得部１４０から累積情報及び活性時間帯の情報を属性情報ごとに受け取る。そして、処理設定変更部１５０は、この累積情報に従い、新たな情報が存在すると判断された単位時間あたりの頻度の高さに応じて、単位時間あたりに処理を行う回数が高くなるように、設定変更の指示を処理部１１０に送る。また、処理設定変更部１５０は、新たな情報が存在すると判断された頻度の高さに応じて、一度の処理で扱う情報の量が多くなるように、設定変更の指示を処理部１１０に送ってもよい。さらに、処理設定変更部１５０は、単位時間あたりに処理を行う回数及び一度の処理で扱う情報の量を、処理させる情報の属性情報ごとに異ならせるように、設定変更の指示を処理部１１０に送る。例えば、処理部１１０が行う処理が情報の検索である場合、処理設定変更部１５０は、検索を行う頻度を設定する旨の指示を処理部１１０に送る。また、処理設定変更部１５０は、検索範囲を設定する旨の指示を処理部１１０に送ることにより、一度の処理で扱う情報の量を設定してもよい。
【００２２】
画像格納部１６０は、活性度のそれぞれに対応して予め定められた画像を格納する。画像格納部１６０は、画像として、活性時間帯及び活性時間帯以外の時間帯を使用者に直感的に認識させる画像を格納する。画像格納部１６０は、例えば、新たな情報の存在を人間の生活に模すことにより、活性時間帯に対応する画像として昼間を連想させる画像を格納してもよい。同様に、画像格納部１６０は、活性時間帯以外の時間帯に対応する画像として夜間を連想させる画像を格納する。画像格納部１６０は、表示部１７０から画像を送る旨の指示を受け取ると、表示部１７０の指示に従い、画像を選択して送る。
【００２３】
表示部１７０は、活性時間帯取得部１４０から活性時間帯の情報を取得する。そして、表示部１７０は、使用者から画像を表示する旨の指示を端末２０を介して受け取ると、その指示を受けた時間が活性時間帯であるか否かを判断する。活性時間帯であった場合、表示部１７０は、画像格納部１６０から活性時間帯に対応する画像を受け取り、端末２０に表示させる。活性時間帯以外の時間帯であった場合、表示部１７０は、画像格納部１６０から活性時間帯以外の時間帯に対応する画像を受け取り、例えば、処理の状況及び処理結果を表示する場合の背景画像として、端末２０に表示させる。
【００２４】
図３は、格納部１００のデータ構造の一例である。格納部１００は、情報フィールドと、属性情報フィールドとを有する。情報フィールドは、例えば、画像及びテキストデータが関連づけられたデータを格納する。「○×地方旅行記」は、この情報フィールドの具体例である。「○×地方旅行記」は、内容に関連する画像データ及び文章のテキストデータを含む。属性情報フィールドは、対応付けられた情報を特徴付けるキーワードである。属性情報フィールドは、情報作成者によって予め定められてもよいし、情報閲覧者によって変更されてもよい。「○×地方旅行記」に対応する属性情報の「山」は、この属性情報フィールドの一例である。
このように、情報を属性情報に関連付けて格納することで、判断部１３０は、存在すると判断した新たな情報の属性情報を容易に認識することができる。
【００２５】
図４は、活性時間帯取得部１４０が算出する分布情報の一例を示す。図４（ａ）は、新たな情報の数フィールド及び活性度フィールドを有する。例えば、ある時間帯において新たな情報が０〜１００の範囲である場合、その時間帯の活性度は、図４（ａ）において対応する０である。このように、図４（ａ）の例において、本発明に係る活性度基準は、１００及び１０００である。
図４（ｂ）は、図４（ａ）を用いて算出した時間帯ごとの活性度の一例である。例えば、１５：００〜１５：１５の時間帯は、新たな情報の数が２１２であったので、活性度が１である。さらに、活性時間帯取得部１４０は、図４（ｂ）のような時間帯ごとの活性度の情報を、属性情報ごとに分類して算出する。
このように、活性度を時間帯ごとに算出することで、活性時間帯取得部１４０は、処理設定変更部１５０に時間帯ごとに処理の設定を変更させることができる。特に、時間帯ごとの活性度の情報を特定の周期で累積することにより、情報処理システム１０は、処理する対象の情報が周期的に変化する環境において、より効率的に情報を処理することができる。
【００２６】
図５は、表示部１７０が表示させる画面の例である。図５（ａ）は、活性時間帯における画面の表示例である。表示部１７０は、画像を表示する旨の指示を受け取った時間が活性時間帯である場合、図５（ａ）左上のような活性時間帯を連想させる画像を、画像格納部１６０から取得して表示させる。また、表示部１７０は、情報処理システム１０が行う処理の結果として情報の検索結果（図５（ａ）右下）をあわせて表示してもよい。さらに、表示部１７０は、使用者に指示を促すための操作メニューをあわせて表示してもよい（図５（ａ）左下）し、使用者が処理を行わせる主体を認識させるために画像を表示してもよい（図５（ａ）右上）。一方、表示部１７０は、画像を表示する旨の指示を受け取った時間が活性時間帯以外の時間帯である場合、図５（ｂ）左上のように、活性時間帯以外の時間帯を連想させる画像を、画像格納部１６０から取得して表示させる。
このように、表示部１７０は、活性時間帯の情報を使用者に分かりやすく表示して提供することができる。
【００２７】
図６は、情報処理システム１０のフローチャートである。判断部１３０は、未処理の新たな情報が格納部１００に存在するか否かを判断する（Ｓ１０）。そして、活性時間帯取得部１４０は、新たな情報の量が活性度基準を越えた活性時間帯を取得する（Ｓ２０）。処理設定変更部１５０は、活性時間帯において、処理をより多く行うように処理部１１０の設定を変更する（Ｓ３０）。
【００２８】
図７は、情報処理システム１０の変形例を表す機能ブロック図である。本図における情報処理システム１０は、図２における情報処理システム１０から判断部１３０及び活性時間帯取得部１４０を除き、接触時間帯取得部１８０及び提供設定変更部１９０を新たに備えた構成である。
【００２９】
本変形例においては、提供部１２０は、更に使用者から要求を受けた時間帯及びその要求の量の情報を接触時間帯取得部１８０に送る。また、提供部１２０は、提供設定変更部１９０から使用者に情報の提供の設定を変更する旨の指示を受け取ると、処理された情報を提供するための設定を変更する。
【００３０】
接触時間帯取得部１８０は、提供部１２０から、使用者から要求を受けた時間帯及びその要求の量の情報を受け取る。そして、接触時間帯取得部１８０は、使用者から受けた要求の量が多い時間帯である接触時間帯において、より多く処理した情報を提供するように、設定を変更する旨の指示を提供設定変更部１９０に送る。さらに、接触時間帯取得部１８０は、接触時間帯の情報を処理設定変更部１５０に送る。
【００３１】
提供設定変更部１９０は、接触時間帯取得部１８０から設定を変更する旨の指示を受け取ると、この指示に従い、提供部１２０に提供させる情報の量を変更する。処理設定変更部１５０は、接触時間帯取得部１８０から接触時間帯の情報を受け取ると、接触時間帯において、接触時間帯以外の時間帯よりも処理する情報の量が多くなるように、処理部１１０に設定変更を指示を送る。
【００３２】
この変形例のように、情報処理システム１０は、新たな情報が存在する活性時間帯のみならず、使用者が情報を提供させる要求を送る時間帯を学習し、提供する情報の量を変更することができる。
【００３３】
図８は、情報処理システム１０の変形例のフローチャートである。接触時間帯取得部１８０は、使用者の要求の回数が予め定められた基準を超える接触時間帯を取得する（Ｓ５０）。処理部１１０は、接触時間帯において、他の時間帯より処理を多く行う（Ｓ６０）。提供部１２０は、接触時間帯において、他の時間帯より情報をより多く提供する（Ｓ７０）。
【００３４】
図９は、本実施形態において情報処理システム１０を実現するハードウェア構成の一例である。本実施形態に係る情報処理システム１０の機能は、ＣＰＵ７００、ＲＯＭ７０２、ＲＡＭ７０４、通信インターフェイス（通信Ｉ／Ｆ）７０６、入出力インターフェイス（入出力Ｉ／Ｆ）７０８、ハードディスクドライブ７１０、キーボード７５２、およびマウス７５４を備える計算機と、当該計算機上で実行されるプログラムとの連携により実現される。情報処理システム１０は、ＦＤドライブ７１２及び／又はＣＤ−ＲＯＭドライブ７１６を更に備えてもよい。
【００３５】
情報処理システム１０を実現するプログラムは、処理モジュールと、提供モジュールと、判断モジュールと、活性時間帯取得モジュールと、処理設定モジュールと、表示モジュールと、接触時間帯取得モジュールと、提供設定変更モジュールとを備える。これらのモジュールは、計算機を、処理部１１０、提供部１２０、判断部１３０、活性時間帯取得部１４０、処理設定変更部１５０、表示部１７０、接触時間帯取得部１８０、及び提供設定変更部１９０として動作させるプログラムである。
【００３６】
以上に示したプログラム又はモジュールは、外部の記憶媒体に格納されてもよい。記憶媒体としては、フレキシブルディスク７１４、ＣＤ−ＲＯＭ７１８の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワーク７２０を介してプログラムを情報処理システム１０に提供してもよい。なお、本実施形態で示した格納部１００及び画像格納部１６０は、例えば、図９におけるハードディスクドライブ７１０で実現される。また、処理部１１０、提供部１２０、判断部１３０、活性時間帯取得部１４０、処理設定変更部１５０、表示部１７０、接触時間帯取得部１８０、及び提供設定変更部１９０は、それぞれコンピュータ７００を動作させるプログラムにより実現され、入出力インターフェイス７０８を介して端末２０と通信する。
【００３７】
以上に示した本発明の実施形態から明らかなように、使用者は、情報処理システム１０を用いることで、目的の情報の処理を効率的に行うことができる。特に、情報処理システム１０は、処理する対象の情報が周期的に変化する環境において、より効率的に情報を処理することができる。例えば、情報処理システム１０は、情報の検索を行う場合、格納部１００が格納する情報が他の使用者によって周期的に更新される場合において、より効率的に情報を検索することができる。
【００３８】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００３９】
【発明の効果】
上記説明から明らかなように、本発明によれば情報の処理を効率的に行うことができる。
【図面の簡単な説明】
【図１】情報処理ネットワーク５の概観図である。
【図２】情報処理システム１０の機能ブロック図である。
【図３】格納部１００のデータ構造の一例である。
【図４】活性時間帯取得部１４０が特定する分布情報の一例である。
【図５】表示部１７０が表示させる画面の例である。
【図６】情報処理システム１０のフローチャートである。
【図７】情報処理システム１０の変形例を表す機能ブロック図である。
【図８】情報処理システム１０の変形例の動作を表すフローチャートである。
【図９】本実施形態において情報処理システム１０を実現するハードウェア構成図である。
【符号の説明】
５　情報処理ネットワーク
１０　情報処理システム
２０　端末
１００　格納部
１１０　処理部
１２０　提供部
１３０　判断部
１４０　活性時間帯取得部
１５０　処理設定変更部
１６０　画像格納部
１７０　表示部
１８０　接触時間帯取得部
１９０　提供設定変更部
７００　コンピュータ
７０８　入出力Ｉ／Ｆ
【図１】
2004030467.tif 000003
【図２】
2004030467.tif 000004
【図３】
2004030467.tif 000005
【図４】
2004030467.tif 000006
【図５】
2004030467.tif 000007
【図６】
2004030467.tif 000008
【図７】
2004030467.tif 000009
【図８】
2004030467.tif 000010
【図９】
2004030467.tif 000011